【手続補正書】
【提出日】平成17年7月6日(2005.7.6)
【手続補正１】
【補正対象書類名】明細書
【補正対象項目名】発明の名称
【補正方法】変更
【補正の内容】
【発明の名称】アンテナ特性測定方法
【手続補正２】
【補正対象書類名】明細書
【補正対象項目名】特許請求の範囲
【補正方法】変更
【補正の内容】
【特許請求の範囲】
【請求項１】
高周波の送信信号を出力する第一工程と、
前記第一工程により出力された送信信号を光信号に変換する第二工程と、
前記第二工程により変換された光信号を光ファイバを介して受信し、高周波信号に変換する第三工程と、
前記第三工程により変換された高周波信号を被測定アンテナから放射する第四工程と、
前記第四工程により放射された高周波信号を受信アンテナを介して受信し、受信した高周波信号に基づいて前記被測定アンテナの放射特性を測定する第五工程と
を備えたアンテナ特性測定方法。
【請求項２】
高周波の送信信号を送信アンテナを介して放射する第一工程と、
光信号を出力する第二工程と、
前記第一工程により放射された信号を受信する被測定アンテナにおいて、前記第二工程から出力され第一の光ファイバを介して入力された光信号を前記被測定アンテナにより受信された信号に基づいて変調する第三工程と、
前記第三工程により生じる変調された光信号を第二の光ファイバを介して受信し、受信した光信号を前記被測定アンテナにより受信された信号へ復調する第四工程と、
前記第四工程により復調された信号に基づいて前記被測定アンテナの放射特性を測定する第五工程と
を備えたアンテナ特性測定方法。
【請求項３】
高周波の送信信号を出力する第一工程と、
前記第一工程により出力された送信信号を光信号に変換する第二工程と、
前記第二工程により変換された光信号を第一の光ファイバを介して受信し、高周波信号に変換する第三工程と、
前記第三工程により変換された高周波信号を被測定アンテナに伝達する第四工程と、
前記第四工程により前記被測定アンテナに伝達された高周波信号のうち、前記被測定アンテナから反射された成分を光信号に変換する第五工程と、
前記第五工程から出力された光信号を第二の光ファイバを介して受信し、受信した光信号を前記被測定アンテナから反射された高周波信号に変換する第六工程と、
前記第一工程により出力された高周波の送信信号と前記第六工程により得られた高周波信号から前記被測定アンテナのインピーダンス特性を測定する第七工程と
を備えたアンテナ特性測定方法。
【請求項４】
高周波の送信信号を出力する第一工程と、
前記第一工程により出力された送信信号を光信号に変換する第二工程と、
光信号を出力する第三の工程と、
前記第二工程により変換された光信号を第一の光ファイバを介して受信し、高周波信号に変換する第四工程と、
前記第四工程により変換された高周波信号を被測定アンテナに伝達する第五工程と、
前記第五工程により被測定アンテナに伝達される高周波信号と、前記第五工程により被測定アンテナにより被測定アンテナに伝達された高周波信号のうち、被測定アンテナから反射された高周波信号とを分離する第六工程と、
前記第三工程により出力され第二の光ファイバを介して入力された光信号を前記第六工程により分離された高周波信号に基づいて変調する第七工程と、
前記第七工程により変調された光信号を第三の光ファイバを介して受信し、受信した光信号を前記被測定アンテナにより反射された高周波信号へ復調する第八工程と、
前記第一工程により出力された高周波信号と前記第八工程により復調された高周波信号との比較に基づいて前記被測定アンテナのインピーダンス特性を測定する第九工程と
を備えたアンテナ特性測定方法。
【手続補正３】
【補正対象書類名】明細書
【補正対象項目名】０００１
【補正方法】変更
【補正の内容】
【０００１】
【発明の属する技術分野】
この発明は、携帯電話などの小形無線端末に搭載されるアンテナの放射特性、またはインピーダンス特性を測定するアンテナ特性測定方法に関するものである。
【手続補正４】
【補正対象書類名】明細書
【補正対象項目名】００１１
【補正方法】変更
【補正の内容】
【００１１】
【課題を解決するための手段】
この発明のアンテナ特性測定方法は、高周波の送信信号を出力する第一工程と、前記第一工程により出力された送信信号を光信号に変換する第二工程と、前記第二工程により変換された光信号を光ファイバを介して受信し、高周波信号に変換する第三工程と、前記第三工程により変換された高周波信号を被測定アンテナから放射する第四工程と、前記第四工程により放射された高周波信号を受信アンテナを介して受信し、受信した高周波信号に基づいて前記被測定アンテナの放射特性を測定する第五工程とを備えたものである。
また、高周波の送信信号を送信アンテナを介して放射する第一工程と、光信号を出力する第二工程と、前記第一工程により放射された信号を受信する被測定アンテナにおいて、前記第二工程から出力され第一の光ファイバを介して入力された光信号を前記被測定アンテナにより受信された信号に基づいて変調する第三工程と、前記第三工程により生じる変調された光信号を第二の光ファイバを介して受信し、受信した光信号を前記被測定アンテナにより受信された信号へ復調する第四工程と、前記第四工程により復調された信号に基づいて前記被測定アンテナの放射特性を測定する第五工程とを備えたものである。
また、高周波の送信信号を出力する第一工程と、前記第一工程により出力された送信信号を光信号に変換する第二工程と、前記第二工程により変換された光信号を第一の光ファイバを介して受信し、高周波信号に変換する第三工程と、前記第三工程により変換された高周波信号を被測定アンテナに伝達する第四工程と、前記第四工程により前記被測定アンテナに伝達された高周波信号のうち、前記被測定アンテナから反射された成分を光信号に変換する第五工程と、前記第五工程から出力された光信号を第二の光ファイバを介して受信し、受信した光信号を前記被測定アンテナから反射された高周波信号に変換する第六工程と、前記第一工程により出力された高周波の送信信号と前記第六工程により得られた高周波信号から前記被測定アンテナのインピーダンス特性を測定する第七工程とを備えたものである。
また、高周波の送信信号を出力する第一工程と、前記第一工程により出力された送信信号を光信号に変換する第二工程と、光信号を出力する第三の工程と、前記第二工程により変換された光信号を第一の光ファイバを介して受信し、高周波信号に変換する第四工程と、前記第四工程により変換された高周波信号を被測定アンテナに伝達する第五工程と、前記第五工程により被測定アンテナに伝達される高周波信号と、前記第五工程により被測定アンテナにより被測定アンテナに伝達された高周波信号のうち、被測定アンテナから反射された高周波信号とを分離する第六工程と、前記第三工程により出力され第二の光ファイバを介して入力された光信号を前記第六工程により分離された高周波信号に基づいて変調する第七工程と、前記第七工程により変調された光信号を第三の光ファイバを介して受信し、受信した光信号を前記被測定アンテナにより反射された高周波信号へ復調する第八工程と、前記第一工程により出力された高周波信号と前記第八工程により復調された高周波信号との比較に基づいて前記被測定アンテナのインピーダンス特性を測定する第九工程とを備えたものである。
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００３６
【補正方法】変更
【補正の内容】
【００３６】
【発明の効果】
この発明に係るアンテナ特性測定方法は、小形無線端末にＥ／Ｏ変換部を搭載させる必要がなく小形無線端末の小型化が図れるとともに、被測定アンテナの放射特性を測定することができる。